【手続補正書】
【提出日】平成16年7月27日(2004.7.27)
【手続補正１】
【補正対象書類名】明細書
【補正対象項目名】全文
【補正方法】変更
【補正の内容】
【書類名】      明細書
【発明の名称】  地下構造物用蓋
【特許請求の範囲】
【請求項１】  地下構造物の開閉口を塞ぐ蓋であって、手かぎに設けられた係止部を差し込む開口を蓋本体の縁部上面に有しており、開口は手かぎの係止部を受け入れる袋穴に通じており、袋穴は開口幅よりも拡がった左右側部を有し、そこへ、開口に差し込んだ手かぎの係止部を受け入れて係止可能であり、さらに、手かぎの係止部を開口から袋穴内に差し込み蓋本体を取り外す際に支点となる支持部を開口の縁部よりの袋穴部に突設したことを特徴とする地下構造物用蓋。
【請求項２】  手かぎはほぼＴ字型の係止部を有しており、開口は、蓋本体の縁部から中心方向へ向かうほぼＩ字型又はＴ字型の平面形状を有し、かつ上記係止部を差し込み可能な大きさを有している請求項１記載の地下構造物用蓋。
【請求項３】  支持部は、袋穴の底部から開口へ向かって突出し、かつ開口及び蓋本体の縁部において側面に位置する切り欠き状の切欠口のどちらをも塞ぐことなくそれらとの間に隙間を保っている請求項１記載の地下構造物用蓋。
【発明の詳細な説明】
【０００１】
【発明の属する技術分野】
本発明は地下構造物の開閉口を塞ぐ蓋に関するものである。
【０００２】
【従来の技術】
地下構造物に用いられている蓋はマンホール蓋などと呼ばれ、重量物のため開蓋には手かぎ、或いはバールなどと称される開蓋用の工具が使用される。開蓋用工具には様々な種類のものがあるが、Ｔ字型の係止部を持ったものについては実公昭５８−５７１２号に示される考案があった。同考案の場合、係止部を差し込む孔の両側に相対した張出し上縁部を設けてＴ字両端の引っ掛けを可能にしている。しかし同考案の構造を実施した場合、受枠に食い込んでいる蓋をバールでこじるときにバールの位置が定まらず、バールが逃げて力が入りにくいという問題があった。さらに、バールをバール孔に挿入して蓋を引き上げるときにはバールが滑ったりがたついたりするという問題があった。
【０００３】
受枠に食い込んだ蓋をこじって開くためには特許第３０４４４３１号に示されているような開閉具を用いることが有効である。しかし同発明の開閉具のようなものは工具として特殊であり、作業上も蓋の縁を跨いで受枠に係止する必要があるなど不便で作業性が良くないという問題があった。また同発明におけるバール孔は上面のみ開口する袋穴状のため、土砂やごみなどが内部に溜まりやすく、しかも掻き出しにくいという欠点があった。
【０００４】
【発明が解決しようとする課題】
前記の点に着目した本発明は、安定した開蓋作業を可能にする地下構造物用蓋を提供することを課題とする。また本発明の他の課題は、土砂やごみなどを掻き出しやすい袋穴を有する地下構造物用蓋を提供することである。
【０００５】
【課題を解決するための手段】
前記の課題を解決するため本発明に係る地下構造物用蓋は、手かぎに設けられた係止部を差し込む開口を蓋本体の縁部上面に有しており、開口は手かぎの係止部を受け入れる袋穴に通じており、袋穴は開口幅よりも拡がった左右側部を有し、そこへ、開口に差し込んだ手かぎの係止部を受け入れて係止可能であり、さらに、手かぎの係止部を開口から袋穴内に差し込み蓋本体を取り外す際に支点となる支持部を開口の縁部よりの袋穴部に突設するという手段を講じたものである。
【０００６】
【発明の実施の形態】
本発明に係る地下構造物用蓋は、地下構造物内へのアプローチのための開閉口を塞ぐいわゆるマンホール蓋などを含む蓋が対象である。この種の蓋は開閉口の形状等に応じて円形や三角形或いは長方形の蓋などがあり、また材質としてはダクタイル鋳鉄製のものを主として金属製が大部分を占めている。開閉口は受枠に設けられており、開閉口即ち受枠側には蓋本体を受け支えるための構造が設けられている。
【０００７】
蓋本体を開閉口から取り外すために手かぎが用いられる。手かぎはバールと称されるものと同様の開蓋工具であり、その端部に係止部が設けられている。手かぎは棒状の部分を有し、その先端部などの一端に係止部を有しているが、この係止部はほぼＴ字型の平面形状を有していることが望ましい。ほぼＴ字型の係止部を有する開蓋工具は、受け枠に食い込んでいる蓋本体をこじり上げる作業に引き続いて、受枠から引きずり出すような場合にも適している。
【０００８】
蓋本体は、その縁部上面に、手かぎに設けられている係止部を差し込むための開口を有している。開口は係止部を差し込むための口であり、それ以上のものでもそれ以下のものでもない。そして開口が手かぎの係止部を受け入れる大きさと形態を有し、かつまた開口内は袋状の穴であることによって、係止部は開口の下側において蓋本体に係止可能となる（請求項１記載の発明）。
【０００９】
手かぎがほぼＴ字型の係止部を有している場合、開口は、蓋本体の縁部からほぼＴ字型係止部を差し込み可能な幅の直線状に、即ちほぼＩ字型の平面形状に形成することができる（請求項２記載の発明）。このときほぼＴ字型の係止部を縦にして開口へ差し込み、袋穴内で９０度向きを変えて蓋本体に係止させることになる。開口はまた、蓋本体の縁部から中心方向へ向かうほぼＴ字型の平面形状に形成しても良く、そのときには手かぎのＴ字型を蓋本体のＴ字型の開口に合わせるようにして係止部を差し込み、蓋本体に係止させることができる。平面形がＴ字型の係止部を有する手かぎであっても、工具本体には直状のものや首がやや曲がったものなどの変形があり、それらのどれも本発明の蓋に使用可能であることが望ましい。
【００１０】
このような構成において、手かぎの係止部を開口から袋穴内に差し込み、蓋本体を取り外す際に、支点となる支持部が開口の縁部よりの袋穴部に突設される。開口は袋穴に通じているので、請求項１記載の支持部は、袋穴部分の底部から開口へ向かって突出するように設けることができる。支持部を支点として開蓋する場合、力点は手かぎの他の部分であり、作用点は蓋本体即ち開口の内方のどこかということになる。開口は、さらに、蓋本体の縁部において側面に位置する切り欠き状の切欠口にも通じることができる（請求項３記載の発明）。これは、袋穴が切欠口と通じていると言っても良いので、袋穴に土砂やごみが溜まった場合に切欠口から掻き出すことを容易にする。前記の支持部は、開口及び切欠口のどちらをも塞ぐことがなく、かつそれらの間に隙間を保つように設けられることが望ましい。この隙間により、袋穴に溜まっている土砂やごみなどを掻き出すことが容易になる。
【００１１】
【実施例】
以下、図示の実施例を参照して本発明をより詳細に説明する。図１は、蓋本体１０の縁部の上面に、縁部から蓋本体中心方向へ向かうほぼＩ字型の平面形状を有する開口１１を有する実施例１に関する。開口１１は、手かぎ５０の先端の係止部５１を受け入れるべく拡大した空間から成る袋穴１２に通じており、かつまた外方は縁部に達していて側面に位置する切欠口１３にも通じている。
【００１２】
袋穴１２は、開口１１と切欠口１３以外では外部に通じていない袋状の穴であり、袋穴１２の底部１４は外方１４′が１段高い段状になっており、高い方の底部がそのまま切欠口１３の下端部となっていて、外部から土砂やごみ、水などが侵入しても地下構造物内へ通過させない構造である。袋穴１２の左右側部１５、１６は開口幅よりも拡がって、ほぼＴ字型の係止部５１の横棒部分を受け入れて係止可能となり、また袋穴１２の先端１７は蓋本体１０の中心方向へ拡がっていて、ほぼＴ字型の係止部５１の差し込みを可能としている。
【００１３】
支持部１８は、底部１４の外方１４′の部分に開口１１へ向かって突出するように設けられているが（図３（ｂ））、しかし開口１１よりも幅が小さく、隙間１９が形成されるようになっている。開口１１及びそれよりも幅広の袋穴１２との間に隙間１９を保つ支持部１８は、開口幅を拡大した切欠口１３とも通じている（図１（ｂ））。支持部１８は上端部にて手かぎ５０を支えるのに適した高さを有し、またそれ自体の強度を増すとともに、手かぎ５０を袋穴内で取り扱う際のガイドとなり、また土砂やごみを掻き出しやすくするための傾斜状又は段状に形成された基部２０を前面（内面）に有している（図２（ａ）、（ｂ）参照）。
【００１４】
実施例１の場合、手かぎ５０は首の曲がったＴ字型の係止部５１を有し、その係止部５１を縦にして開口１１へ差し込み（図４（ａ））、袋穴内にて９０度軸周りに回転させて（図４（ｂ）、（ｃ））、蓋本体１０に係止させることになる。開蓋方法については、後で実施例２とともに説明する。なお、当然のことながら袋穴１２の先端１７から支持部１８の前面までの距離はＴ字型の係止部５１の幅よりも大きく、袋穴１２の内部の高さは係止部５１の差し込み方向の寸法よりも大きくなっている。
【００１５】
図５はほぼＴ字型の開口３１を有する本発明の実施例２について示しており、開口３１は、Ｔ字型の係止部の幅よりもやや大きく形成された横長部３１′を前方（内方）に有している。この横長部３１′の幅は袋穴部３２の幅とほぼ同寸であり、開口３１も外方ではやや幅を拡大して切欠口３３に通じている。袋穴３２の底部３４とその外方３４′、外方の左右側部３５、３６及び先端３７の態様は実施例１の場合と同様である。そして底部３４の外方３４′の部分に支持部３８が左右壁部との間に隙間３９を形成するように設けられており、支持部３８は傾斜状に形成された前面（内面）を有する基部４０を持ち得る。
【００１６】
実施例２の場合手かぎ５０′は真直な工具本体の先端部にほぼＴ字型の係止部５１′を有するものとして示されており（図７及び図８）、ほぼＴ字型の係止部５１′を同様にほぼＴ字型の開口３１、横長部３１′に合わせて差し込み、そのまま後方へ手かぎ５０を傾ければ良い。従って実施例２の蓋本体１０の場合、手かぎ５０の差し込みが容易であり、実施例１のときのように差し込む方法を考えるとか、差し込み後に９０度向きを変えるというような操作が不要になる。
【００１７】
開蓋方法について説明する。実施例１の場合には、図９に示すように開口１１から袋穴１２に係止部５１を差し込み、手かぎ５０を後方へ傾けることによって係止部５１を袋穴先端１７の掛け止め部４１に突き当て（図４（ｃ）も参照のこと。）、手かぎ５０の首の曲がり部付近を受枠４２の上端を支点４４として、てこ作用により蓋本体１０をこじり（図９（ａ））、受枠４２に対する食い込みを外す状態にする。受枠４２に対して動かし得る状態となった蓋本体１０に対して手かぎ５０の向きを変えたのち後方へ引き、係止部５１を袋穴１２の左右側部１５、１６に係止させ、内方突部４３と支持部１８とによって蓋本体１０を支え（図９（ｂ））、手かぎ５０を外方かつ上方へ引き上げ（図１１（ａ））、受枠４２の外へ引きずり出すようにする（図１１（ｂ）参照）。
【００１８】
実施例２の場合には、図１０に示すように開口３１、横長部３１′から袋穴部３２に係止部５１′を差し込み、先端３７の掛け止め部４１に突き当て（図８も参照）、手かぎ５０′を後へ傾けることによって、受枠４２の上端を支点４４として蓋本体１０をこじり（図１０（ａ））、受枠４２に対する食い込みを外す。次いでそのまま手かぎ５０′を後へ引き、係止部５１′を袋穴３２の左右側部３５、３６に係止させて、内方突部４３と支持部３８とによって蓋本体１０を支え（図１０（ｂ））、手かぎ５０′を上方かつ外方へ引き上げ受枠４２の外へ引きずり出すようにする（図１１（ａ）及び（ｂ））。これらの作業の際に、手かぎ５０、５０′で蓋本体１０を押すときは掛け止め部４１に突き当たり、蓋本体１０を引くときには係止部５１、５１′が袋穴１２、３２の左右側部１５、１６、３５、３６に安定に係合し、さらに支持部１８、３８がストッパーの役目も果たすので手かぎ５０、５０′を粗略に扱っても抜け出すおそれがない。
【００１９】
実施例１の場合は勿論のこと、実施例２の場合においても開口１１、３１、横長部３１′に通じた袋穴１２、３２の内部は手かぎ５０、５０′の係止部５１、５１′を自由に動かせるだけのスペースをもっている（図１２（ａ））。また袋穴１２、３２は外方の切欠口１３、３３にも通じているので、袋穴１２、３２の中に土砂やごみなどが溜まっていてもこれらを支持部１８、３８の両側の隙間１９、３９から掻き出すことが容易にできる（図１２（ｂ）、（ｃ））。また上記の操作に準じた作業を逆の順に行うことによって、蓋本体１０を受枠４２に嵌め合わせることも当然可能である。
【００２０】
【発明の効果】
本発明は以上の如く構成されかつ作用するものであるから、手かぎを用いた地下構造物における開蓋作業を非常に安定に行うことができ、またほぼＴ字型の平面形状を有する手かぎを用いて、ほぼＩ字型又はＴ字型の開口形状を有する蓋本体に対する開蓋作業を実施することができる、一方では、袋穴を側面の切欠口にも通じさせることにより、袋穴内に溜まった土砂やごみなどを掻き出すことも容易である等の効果を奏する。
【図面の簡単な説明】
【図１】
（ａ）本発明に係る地下構造物用蓋の実施例１を示す部分平面図。
（ｂ）同じく部分側面図。
【図２】
（ａ）図１（ａ）の中央部横断面図。
（ｂ）支持部の変形例を示す同様の横断面図。
【図３】
（ａ）図１のＡ−Ａ線断面図。
（ｂ）図１のＢ−Ｂ線断面図。
【図４】
（ａ）実施例１の開口に係止部を差し込む状態を示す説明図。
（ｂ）差し込んだ係止部を袋内で回転する操作を示す説明図。
（ｃ）回転した係止部を後方へ倒す状態を示す説明図。
【図５】
本発明に係る地下構造物用蓋の実施例２を示す部分平面図。
【図６】
同じく中央部横断面図。
【図７】
実施例２の開口に係止部を差し込む状態を示す平面図。
【図８】
差し込んだ係止部を後方へ倒す状態を示す説明図。
【図９】
（ａ）蓋本体をこじ開ける状態の１例を示す説明図。
（ｂ）こじ開けた蓋本体を引き上げる状態を示す説明図。
【図１０】
（ａ）蓋本体をこじ開ける状態の他の例を示す説明図。
（ｂ）こじ開けた蓋本体を引き上げる状態を示す説明図。
【図１１】
（ａ）蓋本体を引き上げる状態を示す外観図。
（ｂ）さらに蓋本体を引きずり出す状態を示す外観図。
【図１２】
（ａ）袋穴内に配置された係止部の関係を示す断面図。
（ｂ）袋穴内の土砂を係止部で掻いている状態を示す断面図。
（ｃ）さらに土砂を係止部により掻き出している状態を示す断面図。
【符号の説明】
１０  蓋本体
１１、３１  開口
１２、３２  袋穴
１３、３３  切欠口
１４、１４′３４、３４′  底部
１８、３８  支持部
１９、３９  隙間
５０、５０′  手かぎ
５１、５１′  ほぼＴ字型の係止部